【手続補正書】
【提出日】平成26年8月12日(2014.8.12)
【手続補正１】
【補正対象書類名】特許請求の範囲
【補正対象項目名】全文
【補正方法】変更
【補正の内容】
【特許請求の範囲】
【請求項１】
変換ユニットのサイズが４×４より大きければ、量子化係数情報をサブセット単位で逆スキャンして量子化ブロックを構成する逆スキャニング部と、
量子化ステップサイズ予測子を生成し、前記量子化ステップサイズ予測子に残余量子化ステップサイズを加えて量子化ステップサイズを復元し、前記量子化ステップサイズを用いて前記量子化ブロックを逆量子化し、変換ブロックを生成する逆量子化部と、
前記変換ブロックを逆変換して残差ブロックを復元する逆変換部と、
現在予測ユニットの動きベクトル予測子を定め、前記動きベクトル予測子を用いて前記現在予測ユニットの動きベクトルを復元し、前記動きベクトルを用いて前記現在予測ユニットの予測ブロックを生成するインター予測部と、を備え、
前記動きベクトル予測子は、前記現在予測ユニットの有効な空間動きベクトル候補者または有効な時間動きベクトル候補者であり、前記時間動きベクトル候補者は、参照ピクチャー内の既定の第１位置の動きベクトルと第２位置の動きベクトルとを順次に検索して得られる最初の有効な動きベクトルであることを特徴とする動画復号化装置。
【請求項２】
前記量子化ステップサイズ予測子は、既定のサイズより大きいか、または同じ単位で定められることを特徴とする請求項１に記載の動画復号化装置。
【請求項３】
前記既定のサイズに複数のコーディングユニットが含まれる場合、前記量子化ステップサイズは、前記既定のサイズ単位で定められることを特徴とする請求項２に記載の動画復号化装置。
【請求項４】
現在コーディングユニットの左側コーディングユニットの量子化ステップサイズ及び上側コーディングユニットの量子化ステップサイズが有効ではない場合、スキャン順序上、直前のコーディングユニットの量子化ステップサイズを前記量子化ステップサイズ予測子と定めることを特徴とする請求項１に記載の動画復号化装置。
【請求項５】
前記逆スキャニング部は、前記量子化係数情報を逆スキャンして複数のサブセットを生成し、前記複数のサブセットを逆スキャンして前記量子化ブロックを構成することを特徴とする請求項１に記載の動画復号化装置。
【請求項６】
前記サブセットを生成するための逆スキャンパターンは同一であることを特徴とする請求項５に記載の動画復号化装置。
【請求項７】
前記量子化係数情報を逆スキャンする逆スキャンパターンと、前記複数のサブセットを逆スキャンする逆スキャンパターンとは、同一であることを特徴とする請求項５に記載の動画復号化装置。
【手続補正２】
【補正対象書類名】明細書
【補正対象項目名】発明の名称
【補正方法】変更
【補正の内容】
【発明の名称】動画復号化装置
【手続補正３】
【補正対象書類名】明細書
【補正対象項目名】０００１
【補正方法】変更
【補正の内容】
【０００１】
本発明は、動画復号化装置に係り、さらに詳細には、現在予測ユニットに隣接している予測ユニットの動きベクトル及び以前に符号化された参照ピクチャー内の既定の位置の動きベクトルのうち一つを用いて、現在予測ユニットの動きベクトルを復元する動画復号化装置に関する。
【手続補正４】
【補正対象書類名】明細書
【補正対象項目名】００１０
【補正方法】変更
【補正の内容】
【００１０】
本発明が解決しようとする課題は、現在予測ユニットに隣接している予測ユニットの動きベクトル及び以前に符号化された参照ピクチャー内の既定の位置の動きベクトルのうち一つを用いて、現在予測ユニットの動きベクトルを復元する動画復号化装置を提供することである。
【手続補正５】
【補正対象書類名】明細書
【補正対象項目名】００１１
【補正方法】変更
【補正の内容】
【００１１】
本発明による動画復号化装置は、変換ユニットのサイズが４×４より大きければ、量子化係数情報をサブセット単位で逆スキャンして量子化ブロックを構成する逆スキャニング部；量子化ステップサイズ予測子を生成し、前記量子化ステップサイズ予測子に残余量子化ステップサイズを加えて量子化ステップサイズを復元し、前記量子化ステップサイズを用いて前記量子化ブロックを逆量子化し、変換ブロックを生成する逆量子化部；前記変換ブロックを逆変換して残差ブロックを復元する逆変換部；現在予測ユニットの動きベクトル予測子を定め、前記動きベクトル予測子を用いて前記現在予測ユニットの動きベクトルを復元し、前記動きベクトルを用いて前記現在予測ユニットの予測ブロックを生成するインター予測部；を備え、前記動きベクトル予測子は、前記現在予測ユニットの有効な空間動きベクトル候補者または有効な時間動きベクトル候補者であり、前記時間動きベクトル候補者は、参照ピクチャー内の既定の第１位置の動きベクトルと第２位置の動きベクトルとを順次に検索して得られる最初の有効な動きベクトルである。
望ましくは、前記量子化ステップサイズ予測子は、既定のサイズより大きいか、または同じ単位で定められる。
望ましくは、前記既定のサイズに複数のコーディングユニットが含まれる場合、前記量子化ステップサイズは、前記既定のサイズ単位で定められる。
望ましくは、現在コーディングユニットの左側コーディングユニットの量子化ステップサイズ及び上側コーディングユニットの量子化ステップサイズが有効ではない場合、スキャン順序上、直前のコーディングユニットの量子化ステップサイズを前記量子化ステップサイズ予測子と定める。
望ましくは、前記逆スキャニング部は、前記量子化係数情報を逆スキャンして複数のサブセットを生成し、前記複数のサブセットを逆スキャンして前記量子化ブロックを構成する。
望ましくは、前記サブセットを生成するための逆スキャンパターンは同一である。
望ましくは、前記量子化係数情報を逆スキャンする逆スキャンパターンと、前記複数のサブセットを逆スキャンする逆スキャンパターンとは、同一である。
【手続補正６】
【補正対象書類名】明細書
【補正対象項目名】００１２
【補正方法】変更
【補正の内容】
【００１２】
本発明による動画復号化装置は、動き情報を効果的に復号化するために、現在予測ユニットと隣接している既定の位置の予測ユニットの有効な動きベクトルを空間動きベクトル候補者に誘導し、以前に符号化された参照ピクチャー内の現在予測ユニットに対応する位置、またはその周辺に存在する予測ユニットの動きベクトルを、前記現在予測ユニットの有効な時間動きベクトル候補者に誘導する。そして、前記有効な空間動きベクトル候補者及び時間動きベクトル候補者のうち一つを現在予測ユニットの動きベクトル予測子と定め、前記現在予測ユニットの動きベクトルと前記定められた動きベクトル予測子との動きベクトル差値を求める。したがって、空間及び時間動きベクトル候補者を用いることで現在予測ユニットの動き情報の符号化量を低減させる。
【手続補正７】
【補正対象書類名】明細書
【補正対象項目名】００５６
【補正方法】変更
【補正の内容】
【００５６】
逆スキャニング部２１５は、前記量子化係数情報を２次元配列の量子化ブロックに変換する。前記変換のために、複数の逆スキャニングパターンのうち一つを選択する。係数逆スキャニングパターンは、イントラ予測モードによって定められる。現在変換ユニットのサイズが既定のサイズより大きい場合には、既定のサイズのサブセット単位で逆スキャンして量子化された変換ユニットを構成する。そして、現在変換ユニットのサイズが既定のサイズと同じ場合には、変換ユニット単位で逆スキャンして量子化された変換ユニットを構成する。前記量子化された係数が複数のサブセット単位で逆スキャンされる場合には、それぞれのサブセット内の量子化係数に同じ逆スキャンパターンを適用する。前記複数のサブセットは、一つのメインサブセットと少なくとも一つ以上の残余サブセットとで構成される。メインサブセットは、ＤＣ係数を含む左上側に位置し、前記残余サブセットは、メインサブセット以外の領域をカバーする。